(57)【要約】      （修正有）【課題】ゴルフクラブヘッドの反発性向上及びゴルフボールのバックスピン量の低減効果に優れたアイアン型ゴルフクラブヘッドを提供する。【解決手段】アイアン型ゴルフクラブヘッドは、本体部と、本体部に連なるホゼル部とを有している。本体部の前面がフェース面２ｆである。本体部の下部は後方に膨出した形状の張出部４となっている。張出部４を上下に貫通するスリット５が設けられ、スリット５の上部にのみ弾性体６が配置されている。【選択図】図２
2015223426.tif 000002
【特許請求の範囲】
【請求項１】
フェース面及びソール面を備えた本体部と、該本体部に連なるホゼル部とを有し、
該本体部の背面の下部は後方に張り出した張出部となっているアイアン型ゴルフクラブヘッドであって、
該張出部の上面から下面にまで貫通するスリットが設けられているアイアン型ゴルフクラブヘッドにおいて、
該スリットの上部にのみ弾性体が配置されていることを特徴とするアイアン型ゴルフクラブヘッド。
【請求項２】
請求項１において、前記スリット上部の内面のうち後面側は、段部となっており、この段部に前記弾性体が係合していることを特徴とするアイアン型ゴルフクラブヘッド。
【請求項３】
請求項１において、前記スリット上部の内面のうち後面側は、テーパ面となっており、このテーパ面に前記弾性体が係合していることを特徴とするアイアン型ゴルフクラブヘッド。
【請求項４】
請求項１ないし３のいずれか１項において、本体部の背面に銘板が取り付けられ、この銘板の下方に前記弾性体を配置することを特徴とするアイアン型ゴルフクラブヘッド。
【請求項５】
請求項１ないし４のいずれか１項において、前記弾性体は前記本体部に対し非接着となっていることを特徴とするアイアン型ゴルフクラブヘッド。
【請求項６】
請求項１ないし５のいずれか１項において、前記弾性体の上部が前記張出部の上面よりも上方に突出していることを特徴とするアイアン型ゴルフクラブヘッド。
【請求項７】
請求項４において、前記銘板の厚みは、前記弾性体の上部の厚みよりも大きいことを特徴とするアイアン型ゴルフクラブヘッド。
【請求項８】
請求項１ないし７のいずれか１項において、前記弾性体は、該弾性体を設ける前の前記本体部の重心からフェース面に下した垂線を含む位置に配置されていることを特徴とするアイアン型ゴルフクラブヘッド。
【発明の詳細な説明】
【技術分野】
【０００１】
本発明は、アイアン型ゴルフクラブヘッドに係り、詳しくは、ソール側を後方に突出させた張出部を有し、この張出部に上下方向にスリットを設けたアイアン型ゴルフクラブヘッドに関するものである。
【背景技術】
【０００２】
アイアン型ゴルフクラブとしては、フェアウェー、ラフ、バンカーなどからのショットや、ショートホール（パー３のホール）のティーショット等に主として用いられるアイアンクラブのほか、アイアンヘッドに近似した形状のヘッドを有したユーティリティクラブが用いられている。
【０００３】
アイアン型ゴルフクラブヘッドとしては、ステンレススチール、炭素鋼、チタン、各種合金などでフェース部からホゼル部まで形成したものが広く用いられている。
【０００４】
アイアン型ゴルフクラブヘッドは、ボールをヒットするためのフェース面と、地面に対面するソール面とを有する。ヘッドのヒール側にホゼル部が設けられ、このホゼル部にシャフトが挿入され、接着剤などの固着手段によって固着される。
【０００５】
ヘッドのソール側を後方に突出させた形状の張出部を有するアイアン型ゴルフクラブヘッドは、ヘッドの重心が低く、また重心のフェース面からの距離（重心深度）が大きい。
【０００６】
特許文献１には、この張出部の上面から下面にまで貫通するスリットを設けることにより、アイアン型ゴルフクラブヘッドのバランス調整、重量調整を図ることが記載されている。また、特許文献１の００１４段落には、このスリットの全体にセラミックや繊維強化合成樹脂を充填してもよいことが記載されている。
【０００７】
特許文献２には、張出部に上下方向に貫通するスリット（欠落部）を設け、このスリット全体に弾性体を充填したアイアンヘッドが記載されている。この欠落部を設けることにより、フェースの下部でボールをヒットした場合であっても、反発率が高くなり、打感も良好になる。
【０００８】
特許文献３には、張出部の上面から凹陥する凹所を設け、この凹所の入口部（上部）に弾性体を充填したアイアンヘッドが記載されている。
【先行技術文献】
【特許文献】
【０００９】
【特許文献１】特開平８−７７６号公報
【特許文献２】特開２００２−２５３７１３号公報
【特許文献３】特開２００４−８５６５号公報
【特許文献４】特開２００２−２２４２５５号公報
【特許文献５】特開平１１−１７８９６１号公報
【特許文献６】実用新案登録第３０３５４８０号公報
【特許文献７】特開２０１３−２５５７７９号公報
【特許文献８】特開２００５−５８７６５号公報
【特許文献９】米国特許第８３１７６３５号
【発明の概要】
【発明が解決しようとする課題】
【００１０】
張出部に上下方向に貫通するスリットを設けることにより、ゴルフボールをヒットしたときにフェース面がたわみ、これによって反発性が向上したり、ゴルフボールのバックスピン量が減少したりするなどの効果が奏される。
【００１１】
特許文献１の一態様では、このスリットが張出部を上下に貫通した孔状となっているが、貫通したままの状態のアイアンヘッドはゴルフ規則に適合しない。特許文献１の別態様では、このスリットにセラミックや繊維強化合成樹脂を充填しているが、セラミックや繊維強化合成樹脂は剛性が高いため、ゴルフボールをヒットしたときのフェース面のたわみが阻害されてしまい、スリットを設けたことによる上記効果が損なわれるおそれがある。
【００１２】
特許文献２では、スリットの全体に弾性体を充填しているため、ゴルフボールをヒットしたときのフェース面のたわみが小さくなり、スリットを設けたことによる上記効果が小さくなってしまうおそれがある。
【００１３】
特許文献３では、張出部に上面側から凹所を設けており、ソール底面付近にはスリットは存在しない。
【００１４】
本発明は、ゴルフクラブヘッドの反発性向上及びゴルフボールのバックスピン量の低減効果に優れ、しかもゴルフ規則に適合するアイアン型ゴルフクラブヘッドを提供することを目的とする。
【００１５】
また、本発明は、その一態様において、スリット上部に充填された弾性体の脱落が防止され、耐久性に優れたアイアン型ゴルフクラブヘッドを提供することを目的とする。
【課題を解決するための手段】
【００１６】
本発明のアイアン型ゴルフクラブヘッドは、フェース面及びソール面を備えた本体部と、該本体部に連なるホゼル部とを有し、該本体部の背面の下部は後方に張り出した張出部となっているアイアン型ゴルフクラブヘッドであって、該張出部の上面から下面にまで貫通するスリットが設けられているアイアン型ゴルフクラブヘッドにおいて、該スリットの上部にのみ弾性体が配置されていることを特徴とするものである。
【００１７】
本発明の一態様では、前記スリット上部の内面のうち後面側は、段部となっており、この段部に前記弾性体が係合している。
【００１８】
本発明の別の一態様では、前記スリット上部の内面のうち後面側は、テーパ面となっており、このテーパ面に前記弾性体が係合している。
【００１９】
本発明では、本体部の背面に銘板が取り付けられ、この銘板の下方に弾性体を配置することが好ましい。この場合、前記弾性体は前記本体部に対し非接着となっており、前記スリット上部に係合されていることが好ましい。また、前記弾性体の上部が前記張出部の上面よりも上方に突出していることが好ましい。また、前記銘板の厚みは、前記弾性体の上部の厚みよりも大きいことが好ましい。
【００２０】
本発明のアイアン型ゴルフクラブヘッドでは、前記弾性体は、該弾性体を設ける前の前記本体部の重心からフェース面に下した垂線を含む位置に配置されていることが好ましい。
【発明の効果】
【００２１】
本発明のアイアン型ゴルフクラブヘッドでは、張出部に上下に貫通するスリットが設けられており、このスリットの上部にのみ弾性体が充填されている。従って、このスリットの大部分が空洞状となっているので、このアイアン型ゴルフクラブヘッドは、ボールをヒットしたときにフェース面がたわみ易く、反発性に優れ、またゴルフボールのバックスピン量の減少効果にも優れる。
【００２２】
このスリットの上部の後面側に段部又はテーパ面を設け、該段部又はテーパ面に弾性体を係合させることにより、弾性体の装着が安定する。また、フェース面の背面に銘板を取り付け、銘板の下方に弾性体を配置することにより弾性体の脱落が防止される。
【００２３】
また、銘板を弾性体よりも厚くすることにより、弾性体の保持がさらに安定する。
【００２４】
弾性体を本体部に対し非接着とし、銘板によって押さえて本体部に保持させることにより、弾性体の取り付けが容易になる。
【００２５】
弾性体を張出部の上面から若干突出させ、後方から視認可能とすることにより、弾性体が装着されていることを目視確認することができる。
【００２６】
弾性体を設ける前の本体部の重心からフェース面に下した垂線を含む位置に弾性体を設けることにより、ヘッドの重心高さや重心の左右方向の位置を殆ど変化させずに、弾性体を設けることができる。
【図面の簡単な説明】
【００２７】
【図１】実施の形態に係るアイアン型ゴルフクラブヘッドの背面斜視図である。
【図２】図１のII−II線断面図である。
【図３】実施の形態に係るアイアン型ゴルフクラブヘッドの下方からの斜視図である。
【図４】別の実施の形態を示す断面図である。
【図５】別の実施の形態を示す断面図である。
【発明を実施するための形態】
【００２８】
図１〜３を参照して第１の実施の形態について説明する。
【００２９】
このアイアン型ゴルフクラブヘッド１は、本体部２と、本体部２に連なるホゼル部３とを有している。ホゼル部３にはシャフトを差し込むためのホゼル穴３ａが設けられている。本体部２の前面がフェース面２ｆであり、多数のスコアライン（溝、図示略）が設けられている。本体部２の下部は後方に膨出した形状の張出部４となっている。本体部２及びホゼル部３は金属製であるが、一部に非金属材料を用いてもよい。
【００３０】
本体部２の背面の周縁部のうちトウ側、トップ側及びヒール側は、凸条よりなるバックフリンジ部２ａとなっている。バックフリンジ部２ａで囲まれた領域がバック面２ｂとなっている。
【００３１】
張出部４は、ゴルフクラブヘッド１のトウ側からヒール側まで延在している。張出部４の底面がソール面４ｓである。張出部４の上面４ａからソール面４ｓにまで貫通するスリット５が設けられている。この実施の形態では、スリット５はトウ側からヒール側まで連続して延在している。スリット５の内面のうちフェース面２ｆ側の面は、図２の通り、バック面２ｂと面一となっていることが好ましい。
【００３２】
このスリット５の上部に弾性体６が配置されている。この実施の形態では、スリット５の上部内面のうち後面側に段部５ａが設けられており、弾性体６はこの段部５ａに係合している。弾性体６の下部はスリット５内に配置されているが、上部はスリット５から上方に突出し、張出部４の上面４ａよりも上方に突出している。
【００３３】
バック面２ｂに薄板材よりなる銘板７が両面テープ、接着剤又は粘着剤によって接着されている。銘板７はバックフリンジ２ａと弾性体６で囲まれる全領域にわたって設けられているが、全領域でなくてもよい。銘板７の下方に弾性体６を配置することで、弾性体６の脱落を防止する役割を果たしている。また、銘板７の下面を弾性体６の上面に当接させることで、弾性体６の保持をより安定なものとすることができる。
【００３４】
この実施の形態では、銘板７の厚み（バック面２ｂと垂直方向の厚み）は弾性体６の厚みよりも若干大きい。弾性体６の上部が張出部４の上面４ａよりも突出しているので、銘板７の下端と上面４ａとの間で弾性体６が視認可能である。
【００３５】
この実施の形態においては、図２の通り、トウ・ヒール方向の中間におけるアイアン型ゴルフクラブヘッド１のフェース面２ｆに沿う上下方向の全長をＨ０とし、スリット５の下端から上端（すなわち張出部４の上面４ａ）までの該方向の長さをＨ１とした場合、Ｈ１の下限値としては、Ｈ０の２０％以上、好ましくはＨ０の３０％以上であり、上限値としては、Ｈ０の７０％以下、好ましくはＨ０の６０％以下である。スリット５のフェース面２ｆと垂直方向の寸法Ｗは、下限値として１ｍｍ以上、好ましくは２ｍｍ以上であり、上限値としては、５ｍｍ以下、好ましくは３ｍｍ以下である。寸法Ｗが小さすぎると、打音や打感が悪くなる可能性があり、寸法Ｗが大きすぎると所望のヘッド重量に設計するのが困難になる場合がある。スリット５とフェース面２ｆとの間のフェース前面部の厚さは、下限値として１ｍｍ以上、好ましくは１．５ｍｍ以上であり、上限値としては、５ｍｍ以下、好ましくは３ｍｍ以下である。
【００３６】
スリット５のトウ・ヒール方向の長さは、下限値として２０ｍｍ以上、好ましくは３０ｍｍ以上であり、上限値としては、６０ｍｍ以下、好ましくは４５ｍｍ以下である。スリット５のトウ・ヒール方向の長さは、スリット５の上部から下部にかけて均等であることが好ましいが、上記の範囲であるならば不均一であってもよい。例えば、上部が下部よりも広くてもよく、下部が上部よりも広くてもよい。
【００３７】
弾性体６は、スリット５の上部全域に、すなわちスリット５のヒール側からトウ側まで連続して設けられている。弾性体６のフェース面２ｆと垂直方向の厚み（以下、単に厚みということがある。）は、スリット５の間隔Ｗよりも大きくする事で、しっかりと弾性体を装着させる事ができる。弾性体６のフェース面２ｆと平行方向の高さは、下限値として３ｍｍ以上、好ましくは５ｍｍ以上であり、上限値としては、１５ｍｍ以下、好ましくは１０ｍｍ以下である。弾性体の高さが小さすぎると段部５ａへの係合が悪くなる可能性があり、大きすぎるとフェースのたわみ量が減ってしまう可能性がある。
【００３８】
弾性体の材料としては、ゴム又は樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。特に、ウレタン樹脂が好適である。弾性体の材料のショアＤ硬度は、下限値として２０以上、好ましくは４０以上、より好ましくは５０以上であり、上限値としては８０以下、好ましくは７０以下である。硬度が小さすぎると製造が困難となる場合があり、硬度が大きすぎるとフェースのたわみ量が抑えられてしまう可能性がある。弾性体６は、好ましくは接着剤や粘着剤を用いずに段部５ａに係合し、銘板７で押さえられることにより本体部２に保持されることが好ましい。このように接着剤（粘着剤や両面テープを包含する。）を用いない場合、弾性体６の装着作業が容易となり、さらに接着剤によるヘッド性能への影響も無くすことができる。
【００３９】
重量が異なる複数の弾性体６を準備しておき、ゴルフクラブのバランスや重量を調整できるようにしてもよい。また硬度が異なる複数の弾性体６を準備しておき、打感や打音を調整できるようにしてもよい。
【００４０】
銘板７の厚みは、弾性体６の厚みと異なってもよいが、弾性体６の厚みよりも大きくし、弾性体６をしっかりと保持できるようにするのが好ましい。この場合、銘板７の下部の厚みと弾性体６の上部の厚みの差は、下限値として０．５ｍｍ以上、好ましくは１ｍｍ以上であり、上限値としては、２ｍｍ以下、好ましくは１．５ｍｍ以下である。銘板７の厚みは全体として一様であってもよいが、部分的に厚みが異なっていてもよい。例えば、銘板７の下端部の厚みをそれ以外よりも大きくしてもよい。
【００４１】
銘板７の材料としては、アルミニウム、アルミニウム合金、チタン、チタン合金、樹脂、ヘッド本体よりも軽比重の材料などを用いることができる。銘板７には、ロゴ、商標、品番表示、装飾模様などが表わされている。
【００４２】
このように構成されたアイアン型ゴルフクラブヘッド１にあっては、スリット５が設けられており、かつスリット５の上部を除いてスリット５内が空洞となっているため、ゴルフボールをヒットしたときにフェース面２ｆの下部がたわみ、反発性が向上し、ゴルフボールの初速が増大すると共に、ゴルフボールのバックスピン量が減少する。これにより、ゴルフボールの飛距離が増大する。本発明は、ショートアイアンよりもロフト角が小さいミドルアイアンやロングアイアンなどに適用するのに好適である。
【００４３】
上記実施の形態では、弾性体６が張出部４の上面４ａから突出し、アイアン型ゴルフクラブヘッド１の後方から視認可能であるので、アイアン型ゴルフクラブヘッド１の製作工程において、弾性体６を装着したことを最終製作工程後でも目視確認することができ、製造ミスを減らすことができる。
【００４４】
図４、５を参照して別の実施の形態に係るアイアン型ゴルフクラブヘッド１Ａ、１Ｂについて説明する。
【００４５】
図４のアイアン型ゴルフクラブヘッド１Ａでは、弾性体６Ａが逆Ｌ字形断面形状とされ、その上部の後縁部が張出部４の上面と銘板７との間に配置されている。弾性体６Ａの下部をスリット５の上部に差し込むときに、該後縁部が張出部４の上面４ａに当接するまで弾性体６Ａをスリット５に差し込むことにより、弾性体６Ａをスリット５内に正確に規定深さまで差し込むことができる。
【００４６】
図５のアイアン型ゴルフクラブヘッド１Ｂでは、弾性体６Ｂは、上方ほど厚みが大きくなっており、後面は上方ほどフェース面２ｆから遠ざかるテーパ面となっている。また、スリット５の上部内面のうち後面側は、段部ではなく、上方ほどフェース面２ｆから遠ざかるテーパ面５ｂとなっている。弾性体６Ｂのテーパ面はこのテーパ面５ｂに係合している。
【００４７】
このアイアン型ゴルフクラブヘッド１Ｂでは、弾性体６Ｂやスリット５の上部に若干の寸法ないし形状誤差があっても、弾性体６Ｂをテーパ面５ｂに係合させることができ、弾性体６Ｂの保持が安定する。
【００４８】
図４，５のアイアン型ゴルフクラブヘッド１Ａ，１Ｂのその他の構成はアイアン型ゴルフクラブヘッド１と同一であり、同一符号は同一部分を示している。
【００４９】
本発明では、弾性体６，６Ａ又は６Ｂは、該弾性体６，６Ａ又は６Ｂを装着する前の本体部２の重心からフェース面２ｆに下した垂線を含む位置に設けられることが好ましく、弾性体６，６Ａ又は６Ｂの重心が本体部２の重心からフェース面２ｆに下した垂線を通るように弾性体６，６Ａ又は６Ｂを配置することがさらに好ましい。このように構成した場合、弾性体６，６Ａ又は６Ｂを装着してもアイアン型ゴルフクラブヘッドの重心高さや重心の左右方向の位置が殆ど変化しないので、アイアン型ゴルフクラブヘッドの重心位置を設計通りとすることができる。
【００５０】
ロフト角が少しずつ異なる複数の本発明のアイアン型ゴルフクラブヘッドを有した複数のゴルフクラブを一揃えとしたゴルフクラブセットにあっては、各ゴルフクラブで弾性体を同一のものとしてもよく、ゴルフクラブの番手に応じて特性の異なる弾性体を装着してもよい。
【００５１】
上記実施の形態は本発明の一例であり、本発明は図示以外の形態とされてもよい。例えば、張出部４の形状や大きさは図示以外とされてもよい。
【００５２】
図示のアイアン型ゴルフクラブヘッド１，１Ａ，１Ｂは、従来のアイアンヘッドと略同一の外観構成のものであるが、本発明はアイアンヘッドに近似した外観形状のアイアン型ユーティリティヘッドにも適用することができる。
【符号の説明】
【００５３】
１，１Ａ，１Ｂ  アイアン型ゴルフクラブヘッド
２  本体部
２ａ  フリンジ部
２ｂ  バック面
２ｆ  フェース面
３  ホゼル部
４  張出部
５  スリット
６，６Ａ，６Ｂ  弾性体
７  銘板
【図１】
2015223426.tif 000003
【図２】
2015223426.tif 000004
【図３】
2015223426.tif 000005
【図４】
2015223426.tif 000006
【図５】
2015223426.tif 000007